(57)【要約】【課題】部品点数が少なく簡単な構造で小型化を図り、作業性を向上させて半嵌合状態を検知できる検知機能を備えたコネクタを提供すること。【解決手段】コンタクトピンが装着された第１ハウジングを有する第１コネクタ２と、該コンタクトピンと接続されるコンタクトピンが装着された第２ハウジングを有する第２コネクタ２１と、第１、第２ハウジングの何れかのハウジングに回転自在に装着されてこれら第１、第２コネクタの結合をロックするロックレッグ１６１を有する回転リング１５とを備え、回転リング１５は、回転リングが装着されたハウジングとの間で回転リングの回転を規制する係止片１８１を設け、第１、第２コネクタの結合前はこの係止片でハウジングに係止され、嵌合結合時に他方コネクタの押し込みにより回り止め係止を解除して、回転リング１５を回転自在にしてロックレッグ１６１により第１、第２コネクタの結合がロックされる。【選択図】  図６
2007179860.tif 000002
【特許請求の範囲】
【請求項１】
コンタクトピンが装着された第１ハウジングを有する第１コネクタと、前記コンタクトピンと接触接続される他のコンタクトピンが装着された第２ハウジングを有する第２コネクタと、前記第１ハウジングに回転自在に装着されて前記第１、第２コネクタの結合をロックするロック手段を有する回転リングと、を備えたコネクタにおいて、
前記回転リングと前記第１ハウジングとの間に前記回転リングの回転を規制する回り止め手段を設け、前記回転リングは前記第１、第２コネクタの結合前は前記回り止め手段で前記第１ハウジングに係止され、前記第１、第２コネクタの嵌合結合時には第２コネクタの押し込みにより前記回転リングの回転規制を解除し、前記回転リングを回転させて前記ロック手段により前記第１、第２コネクタの結合をロックすることを特徴とするコネクタ。
【請求項２】
前記回り止め手段は、前記回転リングに設けた第１係止部と、前記第１ハウジングに設けた第２係止部とからなり、これら第１、第２係止部の少なくとも一方が弾性を有する弾性片で形成されて該弾性片の弾性力を利用して前記第１、第２係止部が互いに係合されることにより前記回転リングの回り止めがなされることを特徴とする請求項１に記載のコネクタ。
【請求項３】
前記回転リングは、該回転リングと前記第１ハウジングの後端部を覆うように設けられたカバー部材との間に前記回転リングの戻り回転を規制する戻り止め手段を設けたことを特徴とする請求項１に記載のコネクタ。
【請求項４】
前記回転リングは前記カバー部材と一体に形成されていることを特徴とする請求項３に記載のコネクタ。
【請求項５】
前記戻り止め手段は、前記回転リングと前記第１ハウジングとの間に設けられていることを特徴とする請求項４に記載のコネクタ。
【請求項６】
前記戻り止め手段は、前記回転リングに設けた第３係止部と、前記カバー部材に設けた第４係止部とからなり、前記第３、第４係止部の少なくとも一方が弾性を有する弾性片で形成されて該弾性片の弾性力を利用して前記第３、第４係止部が互い係止されることを特徴とする請求項１に記載のコネクタ。
【請求項７】
前記回転リングは所定の長さを有する円形筒状体で形成し、前記第１ハウジングの外周囲を覆うように装着していることを特徴とする請求項１に記載のコネクタ。
【請求項８】
前記第１、第２ハウジングには、それぞれアース部材を装着し、前記第１、第２コネクタの嵌合結合時に前記アース部材が互いにアース接続されることを特徴とする請求項１に記載のコネクタ。
【請求項９】
前記第１、第２ハウジングは、互いに嵌合結合される雌型または雄型ハウジングで形成されていることを特徴とする請求項１〜８のいずれかに記載のコネクタ。
【発明の詳細な説明】
【技術分野】
【０００１】
本発明は、互いに嵌合結合される一対の雄雌コネクタからなるコネクタに係り、特に両コネクタの結合時に半嵌合状態を検知できる検知機能を備えたコネクタに関するものである。
【背景技術】
【０００２】
互いに嵌合結合される一対のコネクタからなるコネクタが完全に嵌合結合されているか否か、すなわち半嵌合状態で結合されていないかを検知できる検知機能を備えたコネクタは既に種々考案されている（例えば、下記特許文献１、２参照）。
【０００３】
例えば下記特許文献１に開示されているコネクタは、互いに嵌合される雄雌コネクタハウジングを備え、一方の雄ハウジングの外周に回転自在に嵌装された操作リングの内周にフォロワピンを設け、他の雌ハウジングの外周にカム溝を設けた構成を有し、このカム溝とフォロワピンとを係合させて雄雌両ハウジングを嵌合し、操作リングを一方向に回転することにより、カム溝とフォロワピンとの間の梃子作用を利用して雄雌ハウジングが小さな力で結合できるようにしたものである。
【０００４】
図９は下記特許文献２に記載されたコネクタがロックされた状態の横断面図である。
図９に示すコネクタは、互いに嵌合結合される雄雌コネクタからなり、雌コネクタの雌ハウジング３０は、その外周に相手の雄ハウジングとの間にカム機構を介在させた操作リング３１を回転自在に嵌装し、また、雌ハウジング３０の外周に形成したバネ収容溝３２にはコイルバネ４５を収容するとともに、その外側に押圧部３４を設けた操作リング３３を設けた構成を有している。そして、操作リング３１を嵌合方向に回転させると、その途中から操作リング３３が一体的に回転して、押圧部３４によりコイルバネ４５が弾縮され、またロックアーム４６がロック突部４７に係止するロック位置に至る前に回転が停止されると、コイルバネ４５の復元弾拡力で操作リング３１が逆方向に回転し、両ハウジングも離反されるようになっている。したがって、操作リング３１の回転操作に伴い雄雌ハウジングが嵌合され、操作リング３１がロックされる前にその回転が停止されると、コイルバネ４５に蓄勢されたバネ力により、両ハウジングが引き離されながら操作リング３１が戻されるので、これにより、両ハウジングが正規に嵌合されたか否かを確実に検知することができる。
【０００５】
【特許文献１】特開平４−１３２１７８号公報（図１、特許請求の範囲）
【特許文献２】特開２００１−５７２７１号公報（図４、図５、段落〔００１６〕〜〔００１９〕）
【発明の開示】
【発明が解決しようとする課題】
【０００６】
上記特許文献１に開示されたコネクタは、嵌合結合時に操作リングを所定位置まで回転し、操作リングをロックした後に嵌合状態を検知する、すなわち操作リングを所定の位置まで回動しロックしなければ半嵌合状態を検知できないので操作性に難があり、また、上記特許文献２に記載されたコネクタは、嵌合状態の検知機構にコイルバネ等が必要となるので、コネクタの構造が複雑になっている。また、この検知機構も操作リングを所定の位置まで回動した後でないと半嵌合状態を検知できないので操作性に課題がある。
【０００７】
本発明はこのような従来技術の課題を解決するためになされたものであって、本発明の目的は、部品点数が少なく簡単な構造で小型化を図り、作業性を向上させて嵌合状態を検知できる検知機能を備えたコネクタを提供することにある。
【課題を解決するための手段】
【０００８】
上記目的を達成するために、本願の請求項１に記載のコネクタの発明は、コンタクトピンが装着された第１ハウジングを有する第１コネクタと、前記コンタクトピンと接触接続される他のコンタクトピンが装着された第２ハウジングを有する第２コネクタと、前記第１ハウジングに回転自在に装着されて前記第１、第２コネクタの結合をロックするロック手段を有する回転リングと、を備えたコネクタにおいて、
前記回転リングと前記第１ハウジングとの間に前記回転リングの回転を規制する回り止め手段を設け、前記回転リングは前記第１、第２コネクタの結合前は前記回り止め手段で前記第１ハウジングに係止され、前記第１、第２コネクタの嵌合結合時には第２コネクタの押し込みにより前記回転リングの回転規制を解除し、前記回転リングを回転させて前記ロック手段により前記第１、第２コネクタの結合をロックすることを特徴とする。
【０００９】
また、本願の請求項２に記載の発明は、請求項１に記載のコネクタにおいて、前記回り止め手段は、前記回転リングに設けた第１係止部と、前記第１ハウジングに設けた第２係止部とからなり、これら第１、第２係止部の少なくとも一方が弾性を有する弾性片で形成されて該弾性片の弾性力を利用して前記第１、第２係止部が互いに係合されることにより前記回転リングの回り止めがなされることを特徴とする。
【００１０】
また、本願の請求項３に記載の発明は、請求項１に記載のコネクタにおいて、前記回転リングは、該回転リングと前記第１ハウジングの後端部を覆うように設けられたカバー部材との間に前記回転リングの戻り回転を規制する戻り止め手段を設けたことを特徴とする。
【００１１】
また、本願の請求項４に記載の発明は、請求項３に記載のコネクタにおいて、前記回転リングは前記カバー部材と一体に形成されていることを特徴とする。
【００１２】
また、本願の請求項５に記載の発明は、請求項４に記載のコネクタにおいて、前記戻り止め手段は、前記回転リングと前記第１ハウジングとの間に設けられていることを特徴とする。
【００１３】
また、本願の請求項６に記載の発明は、請求項１に記載のコネクタにおいて、前記戻り止め手段は、前記回転リングに設けた第３係止部と、前記カバー部材に設けた第４係止部とからなり、前記第３、第４係止部の少なくとも一方が弾性を有する弾性片で形成されて該弾性片の弾性力を利用して前記第３、第４係止部が互い係止されることを特徴とする。
【００１４】
また、本願の請求項７の発明は、請求項１のコネクタにおいて、前記回転リングは所定の長さを有する円形筒状体で形成し、前記第１ハウジングの外周囲を覆うように装着していることを特徴とする。
【００１５】
また、本願の請求項８に記載の発明は、請求項１に記載のコネクタにおいて、前記第１、第２ハウジングには、それぞれアース部材を装着し、前記第１、第２コネクタの嵌合結合時に前記アース部材が互いにアース接続されることを特徴とする。
【００１６】
また、本願の請求項９に記載の発明は、請求項１〜８のいずれかに記載のコネクタにおいて、前記第１、第２ハウジングは、互いに嵌合結合される雌型または雄型ハウジングで形成されていることを特徴とする。
【発明の効果】
【００１７】
本発明は上記構成を備えることにより以下に示すような優れた効果を奏する。すなわち、請求項１の発明によれば、両コネクタの嵌合結合前には第１ハウジングと回転リングとが回り止め手段により回転が規制され、嵌合結合時には第２コネクタの押し込みにより、この回り止め手段の係止が解除され、すなわち、第１、第２コネクタが完全に嵌合結合された状態で、回転リングが回転自在になり、ロック手段により両コネクタをロックするので半嵌合状態での結合が防止できる。したがって、第１ハウジングと回転リングとの間に設けた回り止め手段で半嵌合状態を検知ができるようになり、半嵌合状態を検知する手段は、主に回転リングで構成できるので部品点数が削減できて構造が簡単になり、コネクタの小型化が図れるとともに結合作業が簡単になる。
【００１８】
請求項２の発明によれば、回り止め手段は、回転リングに設けた第１係止部と、ハウジングに設けた第２係止部とからなり、これら第１、第２係止部の少なくとも一方が弾性を有する弾性片で形成し、この弾性片の弾性力を利用して第１、第２係止部が互い係合されるので、簡単な構造で係合を確実にし、簡単な検出機構で半嵌合状態を検出できる。
【００１９】
請求項３の発明によれば、嵌合結合時に他方コネクタの押し込みにより回り止め手段の係止を解除し、回転リングを回転させてロック手段により第１、第２コネクタの結合をロックした状態で戻り止め手段により回転リングの戻りが規制できるので、回転リングの回動が規制され両コネクタの結合が不用意に外れることを防止できる。
【００２０】
請求項４、５の発明によれば、回転リングはコネクタピンに接続された電線を固定するカバー部材が一体に設けられるので、部品点数を減らすことができる。
【００２１】
請求項６の発明によれば、第３、第４係止部の少なくとも一方を弾性を有する弾性片で形成することにより、弾性片の弾性力を利用して回転リングとカバー部材との結合が容易になる。
【００２２】
請求項７の発明によれば、回転リングは所定の長さを有する円形筒状体で形成し、この円形筒状体で第１ハウジングの外周囲が覆われるので、この回転リングにより、第１ハウジングに装着されたコンタクトピン及びシール部材を防護することができる。また、この回転リングにより、第１ハウジングの外周囲を覆うので、第２コネクタとの嵌合結合距離を長くすることがき、第２コネクタが例えば第１コネクタに対して斜め方向から差込まれても正常な結合の方向へ変更されるので、所謂コジリ等を防止できる。更に、この回転リングには、半嵌合検知機能及びロック機構が付設されるので、従来技術のようにスプリング等の部品が不要になり、部品点数を低減して組立て工数等を簡略化することができる。
【００２３】
請求項８の発明によれば、第１、第２ハウジングには、それぞれアース部材を装着し、第１、第２コネクタの嵌合結合時にアース部材を互いにアース接続することにより、アース接続の必要なコネクタを簡単に形成できる。
【００２４】
請求項９の発明によれば、第１、第２ハウジングは互いに嵌合結合される雌型または雄型ハウジングで形成したことにより、雌型及び雄型コネクタを得ることができる。
【発明を実施するための最良の形態】
【００２５】
以下、図面を参照して本発明の最良の実施形態を説明する。但し、以下に示す実施形態は、本発明の技術思想を具体化するためのコネクタを例示するものであって、本発明をこのコネクタに特定することを意図するものではなく、特許請求の範囲に含まれるその他の実施形態のものも等しく適応し得るものである。
【実施例１】
【００２６】
図１は本発明の実施例に係る雄雌コネクタからなるコネクタの結合前の斜視図、図２は図１の雌コネクタを分解した斜視図、図３は図２に示す雌コネクタの各構成部品を示し、図３（ａ）は雌ハウジングの側面図、図３（ｂ）は図３（ａ）のＸ１方向から見た背面図、図３（ｃ）は回転リングの側面図、図３（ｄ）は図３（ｃ）のＸ２方向から見た正面図、図３（ｅ）は図３（ｃ）のＸ３方向から見た背面図、図４は図２の雌コネクタの組立体を示し、図４（ａ）は上面図、図４（ｂ）は側面図、図４（ｃ）は正面図、図４（ｄ）は図４（ｃ）のＡ−Ａ線の断面図、図５は雄コネクタの組立体を示し、図５（ａ）は上面図、図５（ｂ）は側面図、図５（ｃ）は正面図、図５（ｄ）は図５（ｃ）のＢ−Ｂ線の断面図である。なお、以下には回転リングを雌コネクタ側に設けたものについて説明するが、雄コネクタ側に設けることも可能である。
【００２７】
コネクタ１は、図１に示すように、互いに嵌合結合される一対の雄雌コネクタ２１、２で構成されている。
雌コネクタ２は、図２〜図４に示すように、コンタクトピン９が装着される雌ハウジング３と、コンタクトピン９及びこのコンタクトピン９に接続される電線１１を雌ハウジング３に固定する固定部材１０〜１３と、雌ハウジング３の外周囲に回転自在に結合される回転リング１５とで構成されている。
【００２８】
雌ハウジング３は、所定の直径及び比較的長い長さを有する円形の筒状体からなり、合成樹脂で形成されている。この筒状体からなる雌ハウジング３は、後方３ｂから前壁面３ａへ向けてコンタクトピン９、管状シール部材１０及び環状パッキン１２が順に挿入される装着孔４が形成されている（図４（ｄ）参照）。この装着孔４は、後方３ｂから所定長さ引っ込んだ位置までは管状シール部材１０及び環状パッキン１２が挿入される大径の第１装着孔４１となっており、前記位置より前面壁３ａ側はコンタクトピン９の外形に合わせた小径の第２装着孔４２となっている。第１、第２装着孔４１、４２の境界には両装着孔４１、４２の径の違いによる段差、すなわち段差壁４０が形成されている。加えて、この段差壁４０から前面壁３ａに向かう方向に位置する第２装着孔４２の外周囲には、管状シール部材１０が挿入される所定長さに亘る隙間５が形成されている。第２装着孔４２の上方の内壁面には、コンタクトピン９の係止部９０と係止される弾性片からなる係止舌片７が形成されている。また、前壁面３ａは、薄壁で閉鎖され、この壁面に後述する雄コネクタ２１のコンタクトピン２４が差込まれる大きさの細溝４ａ及びコンタクトピン９をリリースする工具が挿入される差込穴４ｂが形成されている（図４（ｃ）参照）。
【００２９】
雌ハウジング３は、図２、図３に示すように、長手方向のほぼ中間部に外周壁面から直角に立設した円板状のフランジ３３が形成され、このフランジ３３を境にして前方部３１と後方部３２とに分かれた円形筒状体から構成されている。円板状のフランジ３３は、肉薄で所定の高さを有し外周縁に複数個の切欠き溝３４、３５が形成されている。この円板状フランジ３３の後方部の壁面３Ｘは、後述する回転リング１５の段差壁１５０の内面と当接されるようになっている。また、これらの切欠き溝３４、３５には、後述する回転リング１５の係止爪１８０、１８０が係止される。
【００３０】
雌ハウジング３の前方部３１は、長手方向の両側面に一対の凹み部分６ａ、６ｂがほぼ左右対称に形成されている。これらの凹み部分６ａ、６ｂは、前方部３１のほぼ中間部まで形成され、これらの凹み部分６ａ、６ｂは雌ハウジング３内の隙間５に連通している。
これらの凹み部分６ａ、６ｂは、隙間５に連通することにより、雌コネクタ２を組み立てたときに管状シール部材１０の一部が露出されるようになっており、また前方部３１の両側面に設けられているので雄コネクタ２１との結合時に位置決めとしても機能する。
【００３１】
後方部３２はその外周面に２種類の第１、第２係止突起８１、８２が形成されており、第１係止突起８１はカバー部材１３の係止部１４１と係合され、第２係止突起８２は雌ハウジング３に回転リング１５が挿入されたときに、回転リング１５の内周壁面に設けた小突起（図示省略）と係止される。したがって、回転リング１５はフランジ３３と第２係止突起８２とによって固定される。
【００３２】
また、雌ハウジング３の前方部３１には環状パッキン２０が装着される。この環状パッキン２０は中心部に挿通孔が設けられた所定の肉厚を有する短長の環状体からなり、弾性部材、例えばゴム材で形成されている。この環状パッキン２０は雄雌コネクタ２１、２の結合時において後述する雄ハウジング２２の開口２２ａ内に圧入される。なお、環状パッキン２０の外周囲は凹凸状に形成するのが望ましい。このように凹凸状の突起を設けることより水等の浸入を阻止できる。
【００３３】
コンタクトピン９は、図２に示すように、平板状のコンタクト２４が差込まれる接触部９１と、電線の芯線１１０と圧着接続される電線接続部９２とを有し、良導電性の金属材で形成されている。また、接触部９１の上面には係止部９０が形成されている。
【００３４】
固定部材１０〜１３は、図２に示すように、管状シール部材１０、環状パッキン１２及びカバー部材１３で構成されている。
管状シール部材１０は、隙間５に挿入される筒状部１０１と、この筒状部と連結されて電線に圧着接続される締め付け部１０２とからなり、円形状に形成された隙間５の直径と略同じ直径及び第２装着孔４２の長さとほぼ同じ長さを有し良導電性の金属材で形成されている。締め付け部１０２は、電線のシール線１１ｂと圧着接続する際に縮径できるように分割されたリング片で形成されている。なお、符号１１ａは電線の絶縁被覆部材を示している。
【００３５】
環状パッキン１２は、中心部に電線挿通孔１２ａが設けられた所定の肉厚を有する短長の環状体からなり、弾性部材、例えばゴム材で形成されている。この環状パッキン１２は、挿通孔１２ａに電線１１が圧接嵌入されるとともに、雌ハウジング３の第１装着孔４１に圧入される。なお、環状パッキン１２の外周囲は、凹凸状に形成するのが望ましい。このように凹凸状の突起を設けることより、電線の固定を堅固にできるとともに水等の浸入を阻止できる。
【００３６】
カバー部材１３は、雌ハウジング３の後方部３２に差込むことができる太さの直径及び所定の長さを有する円形の筒状体からなり、合成樹脂で形成されている。このカバー部材１３は雌ハウジング３の後方部３２の端部外周を覆うように差込み挿入されるものであり、加えて、長手方向の外周壁に複数、例えば２個の係止部１４１、１４１及び小突起１４２、１４２が形成されている。なお、これらの係止部１４１、１４１及び小突起１４２、１４２は、外周囲にそれぞれ対向して設けられているが、一方の係止部１４１及び小突起１４２は図２では隠れている。
【００３７】
回転リング１５は、図２、図３（ｃ）〜図３（ｅ）に示すように、雌ハウジング３の外周径より大きい直径を有する大径筒部１５１と、この大径筒部より小さい直径の小径筒部１５２とからなり、これらの筒部１５１、１５２は一体に連結され合成樹脂で形成されている。そして、両筒部１５１、１５２の連結部分には段差が形成され段差壁１５０となっている。大径筒部１５１は、雌ハウジング３の前方部３１を覆う長さを有するフード乃至カバー体となっている。この大径筒部１５１の直径は、雌ハウジング３の直径より大きく、この雌ハウジング３に装着された状態で雌ハウジング３の外周壁面と大径筒部１５１の内壁面との間に雄ハウジング２２が挿入される隙間Ｄ（図１参照）が形成されるようになっている。大径筒部１５１の外周壁面には、その一部が切り欠かれ所定の幅及び長さを有する細長の一対のロックレッグ１６１、１６１が形成さている。これらのロックレッグ１６１、１６１は、基部が壁面に固定され他端が自由端となった弾性片からなり、その先端にロック爪１６０が形成されている（図４（ｄ）参照）。これらのロックレッグ１６１、１６１は、両コネクタ２１、２の嵌合結合時における引き抜きを防止するものである。また、大径筒部１５１の内壁面には複数個、例えば２個の小突起１９１、１９１が形成されている。図２では２個の突起１９１、１９１のうち１個が示され他は隠れている。これらの小突起１９１、１９１は、雄ハウジング２２の凹状細溝２３ｂ、２３ｂと係合されて抜け止めとなる。
【００３８】
小径筒部１５２は、雌ハウジング３の後方部３２へ嵌入される内径を備え、端縁部に弾性を有する一対の係止部１７１、１７１が対向して形成されている。これらの係止部１７１、１７１は端縁部に長手方向に延びる２本の細溝が形成されることにより切欠かれた所定幅の細長片であって、さらにその中央部にはカバー部材１３に設けた各小突起１４２、１４２と係合する細溝１７０、１７０が小径筒部１５２の長手方向に沿ってそれぞれ形成されている。各係止部１７１、１７１は、両サイドに細溝を設けることにより弾性が付与されている。小突起１４２と上述の細溝１７０との係合により、回転リング１５が回転された後の戻り止めとなる。なお、各係止部１７１、１７１を弾性片としたが、カバー部材１３の各小突起箇所の係止部を弾性片で形成してもよい。また、各係止部１７１、１７１の一側には小径筒部１５２の端縁部の一部がさらに切り欠かれることにより凹み部１７ａ、１７ａが形成されている（図１及び図７参照）。
【００３９】
また、段差壁１５０の内側面１５Ｘには、図３（ｄ）に示すように、フランジ３３の切欠き溝３４、３４に係止される係止爪１８０、１８０をそれぞれ有する一対の係止片１８１、１８２が形成されている。これらの係止片１８１、１８２は、基部が段差壁１５０に固定され先端が自由端となった所定長さの帯状の弾性片で形成されている。コネクタを組み立てた状態では、各係止片１８１、１８２は、フランジ３３の後面３Ｘに当接して、係止爪１８０、１８０が切欠き溝３４、３４に係合されて、回転リング１５の回転が規制されるようになっている。すなわちこの係止爪１８０、１８０と切欠き溝３４、３４とで回り止め手段を構成している。
【００４０】
次に、このように構成した部品を用いた雌コネクタの組立てを図２〜図４及び図６を参照して説明する。
予め、雌ハウジング３の前方部３１に環状パッキン２０を圧接嵌入しておき、後方部３２に回転リング１５を挿入する。この挿入は大径筒部１５１、小径筒部１５２の順に挿入する。この挿入の際、小径筒部１５２内の図示しない複数個の小突起は、ハウジング３の各突起８２、８２間を通過する位置に形成されているので、挿入時に小径筒部の小突起は各突起８２、８２間を通過し、挿入の障害になることがない。そして、この回転リング１５をハウジング３へ挿入した後少し回転させると、回転ハウジング１５の段差壁１５０の壁面１５Ｘがフランジ３０の後方部側の壁面３Ｘに当接され、また小径筒部１５２内の小突起が雌ハウジング３の各突起８２、８２に係止されて、回転リング１５がハウジング３に固定される。この固定により、図６に示すように、段差壁１５０に設けられた係止片１８１がフランジ３３に圧接されるとともに係止爪１８０が切欠き溝３４に係止されて回転リング１５の回転が規制される。
【００４１】
一方、電線１１にはカバー部材１３、環状パッキン１２及び管状シール部材１０を挿通しておき、電線１１の芯線１１０をコンタクトピン９の電線接続部９２に圧着接続する。次いで、管状シール部材１０を前方へ移動させて締め付け部１０２で電線のシール線１１ｂを圧着接続して、この管状シール部材１０を装着孔４内の隙間５内に挿入する。この挿入により、管状シール部材１０の一部がハウジング前方部３１の凹み部６ａ、６ｂから露出される。その後、環状パッキン１２を第１装着孔４１へ挿入し、カバー部材１３をハウジング３の後方部３２へ差し込み挿入して、各係止部１４１、１４１を各小突起８１、８１に係止させる。これにより、カバー部材１３はハウジング３の後方部３２に固定される。
【００４２】
次に、図１、図５を参照して雄コネクタ２１を説明する。
雄コネクタ２１は、平板状のコンタクトピン２４と、このコンタクトピン２４が装着される雄ハウジング２２と、一対のアース端子２５ａ、２５ｂとで構成されている。雄ハウジング２２は、雌ハウジング３の前方部３１が差込まれる開口２２ａを備え、この開口２２ａは雌ハウジング３の前方部３１とほぼ等しい長さを有し、奥部が肉薄の奥壁２２ｂで閉鎖された円形の筒状体からなり、合成樹脂で形成されている。この雄ハウジング２２は、図１に示すように、外周壁面が前方部２２１と後方部２２２とに分かれ、前方部２２１が後方部２２２より肉厚に形成されている。そしてこの前方部２２１と後方部２２２の境界部分には段差壁２２０が形成されている。前方部２２１の肉厚部には、長手方向に２本が対となった２組の第１、第２凹状細溝２３ａ、２３ｂが所定間隔をあけて略平行に形成されている。第１凹状細溝２３ａの奥部は、ブロック壁２３ａ'で塞がれており、この第１細溝２３ａには、雌コネクタ２との嵌合時にロック爪１６０が案内係合される。また、段差壁２２０には、第１凹状細溝２３ａに隣接して一部が切欠かれた凹み部２２０'が形成されている。この凹み部２２０'には第１細溝２３ａに案内されたロック爪１６０が係止される。また、第２凹状細溝２３ｂには、回転リング１５内の小突起１６２が案内係合される。
【００４３】
また、前方部２２１の先端、すなわち、雌コネクタ２との接合面には、複数個の突出部、例えば２個の突起２３１、２３２が雌ハウジング３のフランジ３３の切欠き溝３４、３４に対応する間隔で形成されている。更に、奥壁２２ｂには、中心部の若干下方にコンタクトピン２４が装着されるスリット２２ｃと、両側にアース端子２５ａ、２５ｂが装着される湾曲したスリット２２ｄ、２２ｅが形成されている。コンタクトピン２４は、平板状の接触部２４ａと、図示しない電線と圧着接続される電線接続部２４ｂとを有し、良導電性の金属材で形成されている。また、一対のアース端子２５ａ、２５ｂは、雌ハウジング３の凹み部分６ａ、６ｂに挿入されるもので、互いに対向面が円形状に湾曲した接触部２５１、２５１と、電線に接続される端子部２５０、２５０とで構成されている。
【００４４】
次に、雄コネクタ２１と雌コネクタ２との嵌合結合を図１〜図８を参照して説明する。
なお、図６は雄雌コネクタの嵌合途中を示し、その一部を破断した斜視図、図７は雄雌コネクタの嵌合途中を示す斜視図、図８は雄雌コネクタの嵌合状態を示す斜視図である。
組み立てた雌コネクタ２は、回転ハウジング１５の段差壁１５０の大径筒部１５１側がハウジング３に設けたフランジ３３の後方部３２側の壁面３Ｘに当接され、また小径筒部１５２内の図示しない小突起がハウジング３の各突起８２、８２に係止されて、回転リング１５がハウジング３に固定されている。この固定により、回転リングは段差壁１５０に設けた弾性を有する各係止片１８１、１８１がフランジ３３の壁面３Ｘに圧接されるとともに壁面３Ｘ上の切欠き溝３４、３４に係止されて回転リング１５の回転が規制されている（図６参照）。
【００４５】
この状態で、雌コネクタ２を雄コネクタ２１に差込むと、雄コネクタ２１のハウジング２２が雌コネクタ２の隙間Ｄに挿入され、細溝４ａにコンタクトピン２４の接触部２４ａが差込まれるとともに、各アース端子２５ａ、２５ｂの接触部２５１、２５１がハウジング３の各凹み部分６ａ、６ｂから露出された管状シール部材１０に接触し、また、一対のロックレッグ１６１、１６１のロック爪１６０、１６０が雄コネクタ２１の第１凹状細溝２３ａ、２３ａに、また大径筒部１５１内の小突起１６２、１６２が第２凹状細溝２３ｂ、２３ｂに案内されて挿入される。
【００４６】
この雄コネクタ２１への雌コネクタ２の差込みにより、両コネクタ２１、２が完全に嵌合結合されていると、雄ハウジング２２の前方先端の各突出部２３１、２３２が各係止爪１８０、１８０に突き当りこれらの係止爪１８０、１８０をフランジ３３の切欠き溝３４、３４から押し出して各係止爪１８０、１８０と各切欠き溝３４、３４との係合を解除することで回転リング１５が回転できるようになる。このとき、雄雌コネクタ２１、２が完全に嵌合結合されていないと、各係止爪１８０、１８０と各切欠き溝３４、３４との係合が解除されず、回転リング１５を回転させることができない。したがって、この回転リング１５が回転できるか否かによって雄雌コネクタの結合状態、すなわち半嵌合状態か適正に嵌合されているかを検知できる。
回転可能になった回転リング１５を図６の矢印の示す方向へ回転させるとこの回転により、第１凹状細溝２３ａ、２３ａのブロック壁２３ａ'を乗り越えて各ロック爪１６０、１６０が凹み部分２２０'に、各小突起１９１、１９１は各細溝２３ｂ、２３ｂに案内されて段差壁２２０に係止ロックされる。
【００４７】
一方、回転リング１５の小径筒部１５２の各係止部１７１、１７１がその弾性を利用して各小突起１４２、１４２に係止され戻り止めされる。なお、一度前述の係止がなされると、回転リング１５を回転させるだけでは回動しないので、回動させる際には各係止部１７１、１７１を工具等を使用して外す。
【００４８】
回転リング１５は、ハウジング３の前方部３１を覆っているので、このハウジングに装着された環状パッキン２０を保護できる。また、この回転リング１５はハウジング３を所定長さに亘って覆っているので、雄コネクタ２１との結合時に斜め方向から差込まれても、正常な差込み方向への軌道修正がされるので、いわゆるコジリによる接触不良、破損等を防止できる。更に、この回転リング１５は半嵌合状態を検出できる機能を有するので、従来技術のようにスプリング等が不要になり、部品点数を減らして構造を簡単にすることができる。
【００４９】
本発明は、上述の実施形態のものに限定されるものではない。この実施形態では、例えば雄雌コネクタのコンタクトピンをそれぞれ１本としたが複数本でもよく、シールド部材がなくともよい。また、回転リングとカバー部材が別々になっているが、これらを一体化してもよい。一体にした場合、回転リングの回り止めは、雌ハウジングとの間に形成する。この一体化により、回転リングで環状パッキンの保護、ロックレッグの形成、検知機能及び電線を固定するパッキンの抜け止め機能を持たせることができるので、更に部品点数が低減できる。更に、ロックレッグは、回転リングに設けたが雌コネクタに設けてもよい。更にまた、ロックレッグ、嵌合の突起の個数は、１個もしくは複数個にしてもよい。そして、上記実施形態においては環状パッキンを設ける等により防水性のコネクタとなっているが、防水性が不要な場合には環状パッキンを設けずに非防水型としてもよい。
【図面の簡単な説明】
【００５０】
【図１】図１は、本発明の実施例に係る雄雌コネクタからなるコネクタの結合前の斜視図である。
【図２】図２は図１の雌コネクタを分解した斜視図である。
【図３】図３は図２の部品を示し、図３（ａ）はハウジングの側面図、図３（ｂ）は図３（ａ）のＸ１方向から見た背面図、図３（ｃ）は回転リングの側面図、図３（ｄ）は図３（ｃ）のＸ２方向から見た正面図、図３（ｅ）は図３（ｃ）のＸ３方向から見た背面図である。
【図４】図４は図２の雌コネクタの組立体を示し、図４（ａ）は上面図、図４（ｂ）は側面図、図４（ｃ）は正面図、図４（ｄ）は図４（ｃ）のＡ−Ａ線の断面図である。
【図５】図５は雄コネクタの組立体を示し、図５（ａ）は上面図、図５（ｂ）側面図、図５（ｃ）は正面図、図５（ｄ）は図５（ｃ）のＢ−Ｂ線の断面図である。
【図６】図６は雄雌コネクタの嵌合途中で一部を破断した斜視図である。
【図７】図７は雄雌コネクタの嵌合途中の斜視図である。
【図８】図８は雄雌コネクタの嵌合した斜視図である。
【図９】図９は従来技術のコネクタがロックされた状態での横断面図である。
【符号の説明】
【００５１】
１              コネクタ
２              雌コネクタ（第１コネクタ）
３              雌ハウジング
３３            フランジ
３４            切欠き溝
３５            切欠き溝
４              装着孔
６ａ、６ｂ      凹み部分
８１、８２      小突起
９              コンタクトピン
１０            管状シール部材
１３            カバー部材
１５            回転リング
１６１、１６１  ロックレッグ
１７１、１７１  係止部
１８１、１８１  係止片
２１            雄コネクタ（第２コネクタ）
２２            雄ハウジング
２５ａ、２５ｂ  アース端子
【図１】
2007179860.tif 000003
【図２】
2007179860.tif 000004
【図３】
2007179860.tif 000005
【図４】
2007179860.tif 000006
【図５】
2007179860.tif 000007
【図６】
2007179860.tif 000008
【図７】
2007179860.tif 000009
【図８】
2007179860.tif 000010
【図９】
2007179860.tif 000011